(57)【要約】      （修正有）【課題】耐久性及び強度を向上させると共に、土砂等の紛粒体の密封性を向上させた土嚢を提供する。【解決手段】土嚢１０の土嚢袋は、合成樹脂繊維の織布からなる袋体１と、袋体の外面に圧着等により貼り合わされた通気性のない合成樹脂フィルム２とを有する積層袋体３として構成される。合成樹脂フィルムは袋体の外面の全体に貼り合わされていることが好ましい。積層袋体の内部に土砂等の紛粒体４が充填される。そして、積層袋体の袋口５を封止する熱溶着部６を設けることで、土嚢１０としている。【選択図】図１
0003231710.tif 000002
【実用新案登録請求の範囲】
【請求項１】
合成樹脂繊維の織布からなる袋体と、この袋体の外面に貼り合わされた通気性のない合成樹脂フィルムとを有する積層袋体と、
前記積層袋体の内部に詰め込まれた紛粒体と、
前記積層袋体の袋口を封止する熱溶着部と、を備えることを特徴とする土嚢。
【請求項２】
前記積層袋体の側面に形成された通気孔を兼ねた縛り紐通し孔と、この縛り紐通し孔に通された縛り紐と、を備えることを特徴とする請求項１に記載の土嚢。
【請求項３】
前記合成樹脂繊維の織布は、フラットヤーンクロスであることを特徴とする請求項１または２に記載の土嚢。
【請求項４】
前記合成樹脂フィルムはポリエチレン・フィルムであることを特徴とする請求項１乃至３のいずれか１項に記載の土嚢。
【考案の詳細な説明】
【技術分野】
【０００１】
本考案は、土嚢袋に土砂等を詰めた状態で用いられる土嚢に関する。
【背景技術】
【０００２】
従来から、土嚢は水害防止や土木工事等に広く使用されている。特許文献１には、合成樹脂繊維の織布で出来た土嚢袋に土砂等を詰めて、紐で袋口を閉じて土嚢とすることが記載されている。
【先行技術文献】
【特許文献】
【０００３】
【特許文献１】登録実用新案第３０５５５７５号公報
【考案の概要】
【考案が解決しようとする課題】
【０００４】
しかしながら、特許文献１に記載された土嚢は、合成樹脂繊維の織布で出来た土嚢袋を用いていたので、耐久性及び強度が不十分であるという問題があった、また、袋口を紐で閉じただけなので、土砂等の密封性が不十分であるという問題もあった。
【０００５】
さらに、特許文献１に記載された土嚢は、自動充填機を用いて土砂等を自動充填することができないという問題もあった。土砂等を自動充填する場合、自動充填機の吸着パッドで土嚢袋を吸着して袋口を開いた状態で保持することが必要である。ところが、この土嚢袋は織布という素材の性質により通気性を有しているため、吸着時に空気漏れが生じ、吸着パッドで土嚢袋を吸着することができなかった。
【課題を解決するための手段】
【０００６】
上述の課題に鑑み、本考案による土嚢は、合成樹脂繊維の織布からなる袋体と、この袋体の外面に貼り合わされた通気性のない合成樹脂フィルムとを有する積層袋体と、前記積層袋体の内部に詰め込まれた紛粒体と、前記積層袋体の袋口を封止する熱溶着部と、を備えることを特徴とするものである。
【考案の効果】
【０００７】
本考案の土嚢によれば、合成樹脂繊維の織布からなる袋体の外面に合成樹脂フィルムを貼り合わせた積層袋体を土嚢袋としているので、耐久性及び強度が向上する。また、積層袋体の袋口を封止する熱溶着部を備えているので、土砂等の紛粒体の密封性が向上する。
【０００８】
さらに、本考案の土嚢によれば、織布からなる袋体の外面に通気性のない合成樹脂フィルムを貼り合わせているので、土砂等を自動充填することが可能になって、土嚢の生産性が大幅に向上する。
【図面の簡単な説明】
【０００９】
【図１】本考案の実施形態における土嚢の正面図である。
【図２】図１のＡ−Ａ線における部分断面図である。
【図３】袋口を縛り紐で縛った状態の土嚢の正面図である。
【図４】積層袋体の断面図である。
【図５】土嚢の製造工程を示す工程図である。
【図６】土嚢の製造工程を示す図である。
【考案を実施するための形態】
【００１０】
以下、本考案の実施形態における土嚢１０の構造を図１〜４に基づいて説明する。図示のように、この土嚢１０の土嚢袋は、合成樹脂繊維の織布からなる袋体１と、この袋体１の外面に圧着等により貼り合わされた通気性のない合成樹脂フィルム２とを有する積層袋体３として構成される。
【００１１】
すなわち、図４の部分断面図に示すように、積層袋体３は、合成樹脂繊維の織布からなる袋体１と合成樹脂フィルム２のラミネート構造になっている。合成樹脂フィルム２は袋体１の外面の全体に貼り合わされていることが好ましい。
【００１２】
この場合、合成樹脂繊維の織布は、耐久性及び強度を確保するために、フラットヤーンクロスであることが好ましい。フラットヤーンとは、高密度ポリエチレンのフィルムを短冊状に切断して延伸して成る延伸糸であり、フラットヤーンクロスとは、このフラットヤーンを経緯糸に用いて織り成した織布である。合成樹脂フィルム２はポリエチレン・フィルムとすることが好ましい。
【００１３】
そして、図２の断面図に示すように、この積層袋体３の内部に土砂等の紛粒体４が充填され、積層袋体３の袋口５を封止する熱溶着部６を設けることで、土嚢１０としている。熱溶着部６とは、積層袋体３の袋口５の両側の袋体１と合成樹脂フィルム２とが熱溶着された部分である。
【００１４】
このような積層袋体３を土嚢袋としているので、紛粒体４を充填した状態での耐久性及び強度が向上する。また、積層袋体３の袋口５を封止する熱溶着部６を設けたので、土砂等の紛粒体の密封性が向上する。さらに、この土嚢１０は、袋体１の外面に通気性のない合成樹脂フィルム２を貼り合わせているので、土砂等の紛粒体４を自動充填することが可能になって、土嚢１０の生産性が大幅に向上する。なお、図２に示すように、土嚢１０は設置台Ｄの上に設置してもよい。
【００１５】
このように積層袋体３の袋口５が熱溶着部６で封止されているので、紛粒体４を密封することを目的として袋口５を紐で縛る必要はないが、このままでは掴手がないので土嚢１０を運搬・設置する作業を行うのに不便である。
【００１６】
そこで、図１及び図３に示すように、積層袋体３の側面に縛り紐通し孔７を設け、この縛り紐通し孔７に縛り紐８を通している。この縛り紐通し孔７は通気孔を兼ねており、縛り紐８の径を縛り紐通し孔７の径よりも小さくすることで、縛り紐通し孔７と縛り紐８との間に通気用の隙間が設けられている。縛り紐８は、縛り紐通し孔７を介して結び目を作っても良い。
【００１７】
これにより、図３に示すように、積層袋体３の袋口５を含む上部を絞って縛り紐８で縛ることで、土嚢１０の運搬・設置作業を容易にすることができる。この場合、図２に示すように、紛粒体４は積層袋体３の高さの途中まで充填されており、積層袋体３の上方内部には空気が残っている。そして、積層袋体３の上部を縛り紐８で縛る際に、残った空気は縛り紐通し孔７から抜け出るので、積層袋体３の上部を簡単に絞り込むことができるようになっている。
【００１８】
次に、自動充填機により土嚢１０を製造する方法を図５及び図６に基づいて説明する。
【００１９】
（積層袋体の吸着工程Ｓ１）
図６（ａ）に示すように、複数の積層袋体３が収納ケース１１に積み重ねて収納されている。積層袋体３の側面には、予め通気孔を兼ねた縛り紐通し孔７が形成されている。吸着パッド１２（吸盤）は、収納ケース１１の積層袋体３の一方の側面を吸着して持ち上げ、袋口５を上方へ転向して直立状態とする。吸着パッド１２は、空気を吸引する吸引管１２ａに連結されている。また、吸引パッド１２は移動機構により移動可能になっている。
【００２０】
（紛粒体充填工程Ｓ２）
次に、図６（ｂ）に示すように、こうして直立された積層袋体３は、一対の吸着パッド１３によって、袋口５を開いた状態で両側面から吸着保持される。一対の吸着パッド１３は、それぞれ空気を吸引する吸引管１３ａに連結されている。
【００２１】
積層袋体３の下方には載置台１４が配置されている。そして、上方に配置されたホッパー１５から積層袋体３の内部に土砂等の紛粒体４が所定の高さまで充填される。この場合、ホッパー１５には相当量の紛粒体４が収納されており、ホッパー口１５ａは所定量の紛粒体４を落下させるように、シャッターにより開閉制御されている。
【００２２】
上記工程Ｓ１，Ｓ２において、積層袋体３の外面は通気性のない合成樹脂フィルム２で覆われているので、吸着パッド１２，１３の吸着性は良好になっている。
【００２３】
（熱溶着工程  Ｓ３）
次に、図６（ｃ）に示すように、紛粒体４が充填された積層袋体３は、その両側面を一対のクランプ１６により挟持された状態で、移動機構により熱溶着工程に移送される。そして、積層袋体３の袋口５の両側は、例えばインパルスシールで熱溶着され、熱溶着部６が形成されることで封止される。
【００２４】
具体的には、積層袋体３の袋口５はシール板１７の間に挟んで、シール板１７に取り付けられたヒーターに瞬間的に大電流を流すことにより、ヒーターの熱により積層袋体３の袋口５の袋体１及び合成樹脂フィルム２を熱溶着し、土嚢１０とする。
【００２５】
（搬出工程  Ｓ４）
次に、こうして製造された土嚢１０は、一対のクランプ１６により挟持された状態で、ベルトコンベア等の搬出装置に受け渡される。そして、搬出装置は、土嚢１０を自動充填機から外部に搬出する。そして、搬出された土嚢１０の縛り紐通し孔７に縛り紐８が通され、必要に応じて縛り紐通し孔７を介して結び目が作られる。
【符号の説明】
【００２６】
１  袋体
２  合成樹脂フィルム
３  積層袋体
４  紛粒体
５  袋口
６  溶着部
７  縛り紐通し孔
８  縛り紐
１０  土嚢
１１  収納ケース
１２  吸着パッド
１２ａ  吸引管
１３  吸着パッド
１３ａ  吸引管
１４  載置台
１５  ホッパー
１５ａ  ホッパー口
１６  クランプ
１７  シール板
【図１】
0003231710.tif 000003
【図２】
0003231710.tif 000004
【図３】
0003231710.tif 000005
【図４】
0003231710.tif 000006
【図５】
0003231710.tif 000007
【図６】
0003231710.tif 000008